(57)【特許請求の範囲】
【請求項１】
使い捨て着用物品となる材料から一部を次々に切り抜いて除去するシステムであって、
前記材料の一部を切り抜いて切抜片を生成するための複数の切断刃を有するカッタロールと、
前記切断刃が次々に接するアンビルロールと、
前記切断刃で切り抜いた複数の切抜片のうちの複数の一部の切抜片を前記カッタロールまたはアンビルロール上に形成された複数の第１吸引エリアを通してエアで吸着して保持させるための第１吸着装置と、
前記第１吸引エリアが形成されたロール上に形成され前記切断刃で切り抜いた複数の切抜片のうち別の複数の一部の切抜片を複数の第２吸引エリアを通してエアで吸着して保持させるための第２吸着装置と、
前記吸着されていた前記切抜片を前記カッタロールまたはアンビルロールの表面から除去するための除去装置と、
前記第１吸着装置および前記第２吸着装置に各々別々の経路を介してエアの吸引を行わせる真空源とを備える、システム。
【請求項２】
請求項１において、前記第１吸引エリアと前記第２吸引エリアとが前記ロールの周方向に交互に配置されている、システム。
【請求項３】
請求項２において、前記第１吸着装置は前記第１吸引エリアが設けられた前記ロールの軸方向の第１端部に配置されエアを吸引する第１吸引孔が形成された第１吸引プレートを含み、
前記第２吸着装置は前記第２吸引エリアが設けられた前記ロールの前記軸方向の第２端部に配置されエアを吸引する第２吸引孔が形成された第２吸引プレートを含む、システム。
【請求項４】
請求項１，２もしくは３において、前記経路のうちの一方の経路の真空が保持されなくなったときに、他方の経路の真空を保持する真空保持手段を更に有する、システム。
【請求項５】
請求項４において、前記真空源が第１および第２真空源を含むことで前記真空保持手段が構成され、前記第１真空源および前記第２真空源は各々別々の前記経路を介して前記第１吸着装置および前記第２吸着装置にエアの吸引を行わせる、システム。
【請求項６】
請求項４において、前記真空保持手段は、前記別々の経路が互いに連通しないようにすることで、前記各経路の真空を個別に保持する弁を備える、システム。
【請求項７】
請求項１〜６のいずれか１項に記載の前記システムにおいて、前記材料としての連続シートから着用物品のタブを次々に生成する際に、前記切抜片を次々に切り抜いて除去するシステムであって、
前記各切断刃はループ状に形成されており、
前記ループ状に形成された各切断刃は前記カッタロールの周方向および軸方向に互いに離間して配置されている、システム。
【請求項８】
請求項１の前記一方の吸着装置によるエアで吸引中の吸引エリアから前記切抜片が不用意に脱落し、そのため、前記一方の吸着装置が吸着不能となった場合に、当該一方の吸着装置が吸着可能となるよう請求項１のシステムを復旧する方法であって、
前記カッタロールおよびアンビルロールの回転を停止する工程と、
前記第１および第２吸着装置による前記各吸引エリアのエアの吸引を行う工程と、
前記吸引中の各吸引エリアのうちの前記切抜片が不用意に脱落した吸着装置の前記第１または第２吸引エリアのうちの一方を塞ぐために、当該第１または第２吸引エリアの一方に切片を配置する工程と、
前記カッタロールおよびアンビルロールの回転を再開する工程とを備える、復旧方法。
【発明の詳細な説明】
【技術分野】
【０００１】
本発明は使い捨て着用物品、特に、いわゆるテープファスナの製造装置および該装置の用い方に関する。
【背景技術】
【０００２】
従来より、使い捨て着用物品の製造においては、切り抜いた材料の一部である切抜片を除去する場合がある。
【先行技術文献】
【特許文献】
【０００３】
【特許文献１】ＪＰ２００３−１３５１１０  Ａ（要約）
【発明の開示】
【０００４】
前記文献の発明においては、基材シートの幅方向の中央部に帯状のファスナ部材を積層し、このファスナ部材を横切るような蛇行線に沿って基材シートを切断すると共に、この切断によって生じた凸部の先端の切抜片を除去するようにしている。前記切抜片を取り除く際に切抜片が飛び散らないように、カッタ装置上に設けられた複数の吸引部によって切抜片を切断位置から回収部まで保持する。
【０００５】
何らかの原因で切抜片が吸引部において保持できなかった場合、他の吸引部でもバキュームによる保持力が発生せず、切抜片も保持できない。したがって、製造を中断し、装置の復旧を行う必要がある。
【０００６】
復旧する際には吸引中の全ての吸引部に切抜片を配置し、各吸引部が切抜片で塞がれた状態とする必要がある。しかし、吸引部の数が数個以上の場合、１人の作業員では前記数個の切抜片が前記吸引部に配置された状態を保つことが困難で、復旧作業も困難となる。
【０００７】
したがって、本発明の目的は前記復旧作業の容易な使い捨て着用物品の製造装置および復旧方法を提供することである。
【０００８】
本発明の装置は、使い捨て着用物品となる材料から一部を次々に切り抜いて除去する使い捨て着用物品の製造装置であって、
前記材料の一部を切り抜いて切抜片を生成するための複数の切断刃を有するカッタロールと、
前記切断刃が次々に接するアンビルロールと、
前記切断刃で切り抜いた複数の切抜片を前記カッタロールまたはアンビルロール上に形成された複数の第１吸引エリアを通してエアで吸着して保持させるための第１吸着装置と、
前記第１吸引エリアが形成されたロール上に形成され前記切抜片を複数の第２吸引エリアを通してエアで吸着して保持させるための第２吸着装置と、
前記吸着されていた前記切抜片を前記カッタロールまたはアンビルロールの表面から除去するための除去装置と、
前記第１吸着装置および前記第２吸着装置に各々別々の経路を介してエアの吸引を行わせる真空源とを備える。
【０００９】
前記一方の吸着装置によるエアで吸引中の吸引エリアから前記切抜片が不用意に脱落し、そのため、前記一方の吸着装置が吸着不能となった場合に、当該一方の吸着装置が吸着可能となるよう復旧するには、
前記カッタロールおよびアンビルロールの回転を停止し、
前記第１および第２吸着装置による前記各吸引エリアのエアの吸引を行い、
前記吸引中の各吸引エリアのうちの前記切抜片が不用意に脱落した吸着装置の前記吸引エリアを塞ぐために、当該吸引エリアに切片を配置し、
前記カッタロールおよびアンビルロールの回転を再開する。
【００１０】
このように、本発明によれば、複数の吸引エリアを第１および第２吸着装置によって２つに分けて吸引する。すなわち、２つのエアの経路を別々に設けることにより、一方のエアの経路に連なる一方の吸着装置による吸着が不能となった場合であっても、他方のエアの経路に連なる他方の吸着装置による吸着が可能となる。そのため、復旧時には吸着不能に陥った吸着装置を復旧すればよい。あるいは、各吸着装置ごとに別々に順次復旧作業を行うことができる。したがって、復旧作業が著しく容易である。
【図面の簡単な説明】
【００１１】
【図１】本発明装置の一実施例を示す一部断面した正面図である。
【図２】図２Ａは本発明にかかるシート材の一例を示す平面図、図２Ｂは本発明にかかる着用物品の一例を示す平面図である。
【図３】図３Ａは第１吸引プレートの左側面図、図３Ｂは第２吸引プレートの右側面図である。
【図４】図４Ａおよび図４Ｂはそれぞれアンビルロールおよびカッタロールの左側面図および右側面図である。
【図５】本発明装置の他の例を示すブロック図である。
【発明を実施するための形態】
【００１２】
好ましくは、前記第１吸引エリアと前記第２吸引エリアとが前記ロールの周方向に交互に配置されている。
【００１３】
このように、各グループの各吸引エリアがロールの周方向に交互に配置されていることで、いずれの吸着装置があらゆる位相において吸着不能となっても、復旧作業を容易に行うことができる。
【００１４】
更に好ましくは、前記第１吸着装置は前記第１吸引エリアが設けられた前記ロールの軸方向の第１端部に配置されエアを吸引する第１吸引孔が形成された第１吸引プレートを含み、
前記第２吸着装置は前記第２吸引エリアが設けられた前記ロールの前記軸方向の第２端部に配置されエアを吸引する第２吸引孔が形成された第２吸引プレートを含む。
【００１５】
この場合、ロールの両側の吸引プレートを介して、エアの経路であるマニホールドを容易に形成することができる。
【００１６】
好ましくは、前記経路のうちの一方の経路の真空が保持されなくなったとき（真空が破壊されたとき）に、他方の経路の真空を保持する真空保持手段を更に有する。
【００１７】
たとえば、真空源が１つの場合、一方の経路の真空が破壊されたときに、前記真空源の吸引のパワーが不足し、そのため、他方の経路の真空も低下ないし破壊され切抜片を吸着できなくなるおそれがある。
これに対し、真空保持手段により各経路ごとの真空の保持を可能とした場合には、前記切抜片を吸着できなくなるおそれがない。
【００１８】
なお、本明細書において、「真空」とは切抜片を吸着できる程度にエアの経路内が負圧であることを意味し、「真空が破壊されたとき」とは、吸着装置において切抜片を吸着できない状態まで負圧が小さいことを意味する。
【００１９】
更に好ましくは、前記真空源が第１および第２真空源を含むことで前記真空保持手段が構成され、前記第１真空源および前記第２真空源は各々別々の前記経路を介して前記第１吸着装置および前記第２吸着装置にエアの吸引を行わせる。
【００２０】
この場合、別々の経路に対し各々真空源が設けられているので、各経路ごとの真空の保持が容易かつ確実である。
【００２１】
好ましくは、前記真空保持手段は、前記別々の経路が互いに連通しないようにすることで、前記各経路の真空を個別に保持する弁を備える。
【００２２】
この場合、復旧時には弁により各経路同士が連通するのを確実に防止し得る。
【実施例】
【００２３】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。
【００２４】
以下、本発明の実施例が図面にしたがって説明される。
まず、本製造方法および装置の説明に先立って、本製造方法により製造が可能な着用物品の一例が説明される。
【００２５】
図２Ｂに示すように、着用物品の一例である本オムツは、吸収性本体部５０と、該本体部５０の後胴部５０ｂに接合された一対のタブ（テープファスナ）Ｔを備える。各タブＴには止着部材としてのファスナＦが設けられており、本オムツの着用時に、このタブＴはファスナＦを介して本体部５０の前胴部５０ｆに接合される。
【００２６】
図２Ａに示すように、前記タブＴは前記ファスナＦを有する積層された連続シート６から生成される。すなわち、連続シート６は切断線Ｃに沿って切断されて、多数のタブＴが生成される。この際、細かい網点を施した部分が切り抜かれ、切抜片Ｓが生成されるが、後述するように、この切抜片Ｓは廃棄される。
【００２７】
つぎに、前記タブＴの製造装置について説明される。
図４Ａおよび図４Ｂに示すように、本装置はカッタロール１，アンビルロール２，除去装置７、第１および第２吸着装置３１，３２を備える。
【００２８】
図１に示すように、カッタロール１は前記連続シート６の一部を切り抜いて切抜片Ｓを生成するための複数の切断刃１０を有する。本実施例の場合、図１の各切断刃１０同士は連続シート６を個々のタブＴにするための別の切断刃１３を介して連なっている。
【００２９】
前記カッタロール１と前記アンビルロール２との間に前記連続シート６が搬送され、前記カッタロール１の切断刃１０，１３が前記アンビルロール２に次々に接することで、前記連続シート６から前記タブＴとなる部材および切抜片Ｓが次々に生成される。
【００３０】
前記各切断刃１０はループ状に形成されており、各切断刃１０に囲まれた領域には後述する第１又は第２吸引エリア１１，１２が形成されている。前記各吸引エリア１１，１２には多数のノズル４０が形成されている。
【００３１】
前記第１および第２吸着装置３１，３２は、それぞれ、前記切断刃１０で切り抜いた複数の切抜片Ｓを前記カッタロール１上に形成された複数の第１および第２吸引エリア１１，１２を通してエアで吸着して保持させるものである。前記第１および第２吸着装置３１，３２は図３Ａおよび図３Ｂの第１および第２吸引プレート４１，４２を備える。
【００３２】
図１の前記第１吸引プレート４１は前記第１吸引エリア１１が設けられたカッタロール１の軸方向Ｘの第１端部に配置され、該第１吸引プレート４１にはエアを吸引する第１吸引孔４１ｈが形成されている。一方、第２吸引プレート４２はカッタロール１の前記軸方向Ｘの第２端部に配置され、該第２吸引プレート４２にはエアを吸引する第２吸引孔４２ｈが形成されている。
【００３３】
図４Ａおよび図４Ｂに示すように、前記第１および第２吸引孔４１ｈ, ４２ｈは円弧状で、それぞれ、吸引位置まで回転した第１および第２マニホールド４１ｍ， ４２ｍに連通する。図１の前記第１および第２吸引エリア１１，１２は、それぞれ、ノズル４０と、前記第１および第２マニホールド４１ｍ， ４２ｍと、第１および第２吸引孔４１ｈ, ４２ｈなどのエアの経路を介して、それぞれ、第１および第２真空源Ｅ１，Ｅ２に連なる。
【００３４】
本実施例では２つの真空源Ｅ１，Ｅ２を設けているが、真空源を１つにしてエアの経路を別々に設けてもよい。本実施例の場合、２つの真空源Ｅ１，Ｅ２を包含する真空源が真空保持手段を構成する。この２つの真空源Ｅ１，Ｅ２は、前記エアの経路のうち一方の経路の真空が破壊されても他方の経路の真空を保持する。
なお、図１において吸引されるエアを白抜きの矢印で示す。
【００３５】
すなわち、第１および第２真空源Ｅ１，Ｅ２は、前記一方の吸着装置による吸着が不能となった場合に、他方の吸着装置による吸着が可能となるように前記第１吸着装置３１および前記第２吸着装置３２に各々別々の経路を介してエアの吸引を行わせる。
【００３６】
図１に示すように、前記第１吸引エリア１１と前記第２吸引エリア１２とは前記カッタロール１の周方向に交互に配置されていてもよい。これにより、図４Ａおよび図４Ｂに示すように、１つの吸引孔４１ｈ, ４２ｈに同時に連通するマニホールド４１ｍ， ４２ｍの数が常に２〜３個程度になり、復旧の作業性が著しく向上する。
【００３７】
前記除去装置７は前記カッタロール１に吸着保持されていた前記切抜片Ｓを前記カッタロール１の表面から除去するためのもので、ダクト７０および図示しない加圧機構を備える。前記ダクト７０は負圧により第１および第２吸引エリア１１，１２の切抜片Ｓを吸い上げる。前記加圧機構はダクト７０に対峙したエリア１１，１２の負圧を解除するために、第１および第２吸引プレート４１，４２に形成された加圧孔７１，７２（図４）を介してマニホールド４１ｍ， ４２ｍに加圧エアを送る。
なお、図１において、前記加圧エアを黒色の矢印で示す。
【００３８】
つぎに、正常な運転状態について簡単に説明する。
図１のカッタロール１とアンビルロール２との間に連続シート６が導入されると、カッタロール１およびアンビルロール２の回転で、図２Ａのように連続シート６から個々のタブＴが生成されると共に、図１の切断刃１０により連続シート６から切抜片Ｓが切り抜かれる。
切断刃１０および１３に沿って形成される蛇行した切断線Ｃ１に加え、図示しない別の切断刃により前記連続シート６の幅方向に延びる別の切断線Ｃ２が同時に形成されてもよい。
【００３９】
図４Ａおよび図４Ｂにおいて、前記マニホールド４１ｍ，４２ｍは円弧状の吸引孔４１ｈ、４２ｈに連通している間において負圧に保持され、切抜片Ｓが吸引エリア１１，１２に吸着されて保持される。カッタロール１が更に回転し、切抜片Ｓがダクト７０に対峙すると、加圧孔７１，７２からマニホールド４１ｍ，４２ｍ内に加圧エアが送り込まれ、吸引エリア１１，１２の負圧が解除されると共に、切抜片Ｓがダクト７０内に吸い込まれて除去される。
【００４０】
つぎに、復旧方法の一例について説明する。
たとえば、図１の第１吸着装置３１によるエアで吸引中の第１吸引エリア１１のうちの１つの吸引エリア１１から前記切抜片Ｓが不用意に脱落し、そのため、前記第１吸着装置３１が残りの第１吸引エリア１１において切抜片Ｓを吸着不能となった場合に、当該第１吸着装置３１が再び切抜片Ｓを吸着可能となるよう復旧する場合について説明する。
【００４１】
まず、前記カッタロール１およびアンビルロール２の回転を停止する。一方、前記第１および第２吸着装置３１，３２による前記各吸引エリア１１，１２のエアの吸引を続行する。この際、１つの吸引エリア１１において切抜片Ｓが脱落しており（切抜片Ｓを吸着していないので）、第１吸着装置３１の吸引エリア１１は吸着力が小さいので複数の吸引エリア１１において切抜片Ｓが脱落するだろう。
【００４２】
その後、前記吸引中の各吸引エリア１１，１２のうちの前記切抜片Ｓが不用意に脱落した第１吸着装置３１の前記第１吸引エリア１１を塞ぐために、当該第１吸引エリア１１に切抜片Ｓを配置する。この配置の際に、第１吸引装置３１および第２吸引装置３２は、それぞれ、別々の真空源Ｅ１およびＥ２に独立して連なっているため、図４Ｂの真空源Ｅ２に連なる第２吸引エリア１２は切抜片Ｓに塞がれており、図４Ａの第１吸引孔４１ｈに連なる少数の第１吸引エリア１１に切抜片Ｓを配置すればよい。したがって、復旧作業が容易になる。
【００４３】
その後、前記カッタロール１およびアンビルロール２の回転を再開する。
【００４４】
ところで、復旧時には両ロール１，２の回転を停止すると共に、両吸着装置３１，３２によるエアの吸引を一旦停止してもよい。この場合、両吸引エリア１１，１２の全てにおいて切抜片Ｓが脱落するだろう。この場合も、両吸着装置３１，３２によるエアの吸引を開始した後、まず、第１吸引エリア１１に各々切抜片Ｓを配置して第１吸着装置３１による切抜片Ｓの吸着を可能にする。次いで、第２吸引エリア１２に各々切抜片Ｓを配置して第２吸着装置３２による切抜片Ｓの吸着を可能にする。
【００４５】
こうして、各吸着装置３１，３２ごとに、順次、復旧作業を行え、したがって、復旧作業が容易になる。
【００４６】
図５は別の例を示す。
この例において、真空源Ｅは１つで、前記真空保持手段は、前記吸引エリア１１，１２に連なる別々のエアの経路が互いに連通しないようにすることで、前記各経路の真空を個別に保持する第１および第２電磁弁Ｖ１，Ｖ２を備える。
その他の構成については前記実施例と同様でありその説明を省略する。
【００４７】
すなわち、バルブ制御装置１００により、第１および第２電磁弁Ｖ１，Ｖ２を開閉することにより、第１吸引孔４１ｈおよび第１マニホールド４１ｍを含む経路と第２吸引孔４２ｈおよび第２マニホールド４２ｍを含む経路とが互いに連通しない状態に保持し、これにより、各経路の真空が各経路ごとに保持される。
【００４８】
なお、真空源のパワーが大きい場合、単一の真空源に２つのエアの別々の経路の端部を互いに並列に接続し、各経路ごとの真空状態を保持できるようにしてもよい。
この場合、２つのエアの経路が別々に設けられているため、一方のエアの経路において真空が保持されなくなった場合でも、他方のエアの経路において真空が保持されて同経路に連なる吸引エリアにおいて切抜片Ｓが保持されるだろう。
【００４９】
つぎに、本実施例における復旧について簡単に説明する。
たとえば、第１吸引エリア１１において切抜片Ｓの脱落が生じた場合について説明する。
本実施例においても、２つのエアの経路が別々に設けられているため、一方のエアの経路に連なる第１吸引エリア１１において切抜片Ｓの脱落が生じた場合であっても、他方のエアの経路に連なる第２吸引エリア１２において真空は保持されて切抜片Ｓは同エリア１２において吸着保持されるだろう。
【００５０】
真空源Ｅにより吸引を行いながら第１電磁弁Ｖ１を閉弁し、かつ、第２電磁弁Ｖ２を開弁した状態で、切抜片Ｓで塞がれた第２吸引エリア１２に連なる第２吸引孔４２ｈおよび第２マニホールド４２ｍ内は真空状態に設定されており、この状態で、前記第２電磁弁Ｖ２を閉弁し前記真空状態を保持する。
【００５１】
その後、第１電磁弁Ｖ１を開弁し切抜片Ｓ１の脱落が生じた第１吸引エリア１１を切抜片Ｓ（または切片）で塞ぎ、第１吸引孔４１ｈおよび第１マニホールド４１ｍ内を真空状態に設定する。この状態で、第１および第２電磁弁Ｖ１，Ｖ２を開弁し、カッタロール１およびアンビルロール２の回転を開始することで、復旧作業が完了する。
【００５２】
以上のとおり、図面を参照しながら好適な実施例を説明したが、当業者であれば本明細書を見て、自明な範囲で種々の変更および修正を容易に想定するであろう。
たとえば、吸引エリアや吸着装置はカッタロールではなく、アンビルロールに設けられてもよい。
また、着用物品としてはオムツやパンツだけでなく女性用生理用品や失禁用のパッドであってもよい。
また、吸着装置および真空源は２つ以上設けてもよい。
また、弁は三方弁を１つだけ設けてもよい。
また、除去装置７のダクト７０の吸引口は１つ（２つに分かれていない）でもよい。
また、切抜片に代えて切片を用いてもよい。
したがって、以上のような変更および修正は、請求の範囲から定まる本発明の範囲内のものと解釈される。
【産業上の利用可能性】
【００５３】
本発明は、使い捨て着用物品の製造に適用することができる。
【符号の説明】
【００５４】
１：カッタロール    １０：切断刃    １１：第１吸引エリア    １２：第２吸引エリア  １３：切断刃  
２：アンビルロール  
３１：第１吸着装置    ３２：第２吸着装置
４０：ノズル    ４１：第１吸引プレート    ４２：第２吸引プレート    ４１ｈ：第１吸引孔    ４２ｈ：第２吸引孔    ４１ｍ：第１マニホールド    ４２ｍ：第２マニホールド
５０：本体部
６：連続シート
７：除去装置    ７０：ダクト    ７１：加圧孔    ７２：加圧孔
１００：バルブ制御装置
Ｅ：真空源    Ｅ１：第１真空源    Ｅ２：第２真空源
Ｃ１、Ｃ２：切断線    Ｓ：切抜片    Ｘ：軸方向
Ｖ１，Ｖ２：弁
Ｆ：ファスナ（止着部材）    Ｔ：タブ
【図１】
0005995533.tif 000002
【図２】
0005995533.tif 000003
【図３】
0005995533.tif 000004
【図４】
0005995533.tif 000005
【図５】
0005995533.tif 000006